(57)【要約】【課題】ＵＩＣＣが組み込まれていないデバイスを用いて、認証処理が必要なネットワーク（例えば、ＩＭＳネットワーク）を介した通信を実現する。【解決手段】本発明に係る通信方法は、携帯デバイス１０及び連携デバイス２０を用いて通信を行い、携帯デバイス１０と連携デバイス２０との間で連携モードを確立する工程と、携帯デバイス１０と連携デバイス２０との間で連携モードが確立されていることを加入者管理サーバ３０に登録する工程とを有する。【選択図】図１２
2008203803.tif 000002
【特許請求の範囲】
【請求項１】
携帯デバイス及び連携デバイスを用いて通信を行う通信方法であって、
前記携帯デバイスと前記連携デバイスとの間で連携モードを確立する工程と、
前記認証処理が成功した場合、前記携帯デバイスと前記連携デバイスとの間で前記連携モードが確立されていることを加入者管理サーバに登録する工程とを有することを特徴とする通信方法。
【請求項２】
前記連携デバイスが、前記連携モードを確立した前記携帯デバイスを用いて、前記加入者管理サーバに対する認証処理を行う工程と、
前記加入者管理サーバが、前記連携モードを確立した前記携帯デバイスに対する認証処理を行う工程とを有することを特徴とする請求項１に記載の通信方法。
【請求項３】
所定装置が、前記連携デバイスに対して所定コンテンツを転送するように要求するコンテンツ転送要求を受信する工程と、
前記所定装置が、受信した前記コンテンツ転送要求に応じて、前記加入者管理サーバに、前記携帯デバイスと前記連携デバイスによって確立されている連携モードが登録されているか否かについて確認する工程と、
前記連携モードが登録されていることが確認された場合、前記所定装置が、前記連携デバイスに対して前記所定コンテンツを転送する工程とを有することを特徴とする請求項１又は２に記載の通信方法。
【請求項４】
所定装置が、前記携帯デバイスから、前記連携デバイスに対して所定コンテンツを転送するように要求する第１のコンテンツ転送要求を受信する工程と、
前記所定装置が、前記連携デバイスから、前記連携デバイスに対して所定コンテンツを転送するように要求する第２のコンテンツ転送要求を受信する工程と、
前記第１のコンテンツ転送要求と前記第２のコンテンツ転送要求とが一致する場合、前記所定装置が、前記連携デバイスに対して前記所定コンテンツを転送する工程とを有することを特徴とする請求項１又は２に記載の通信方法。
【請求項５】
携帯デバイス及び連携デバイスを用いて通信を行うように構成されている通信システムであって、
前記携帯デバイスと前記連携デバイスとの間で連携モードを確立するように構成されており、
前記携帯デバイスと前記連携デバイスとの間で前記連携モードが確立されていることを加入者管理サーバに登録するように構成されていることを特徴とする通信システム。
【請求項６】
前記連携デバイスが、前記連携モードを確立した前記携帯デバイスを用いて行う前記加入者管理サーバに対する認証処理と、
前記加入者管理サーバによって行われる前記連携モードを確立した前記携帯デバイスに対する認証処理とを行うように構成されていることを特徴とする請求項５に記載の通信システム。
【請求項７】
連携デバイスと連携して通信を行うように構成されている携帯デバイスであって、
前記連携デバイスとの間で連携モードを確立する連携モード確立部と、
前記携帯デバイスと前記連携デバイスとの間で前記連携モードが確立されていることを加入者管理サーバに登録するように要求する登録要求部とを具備することを特徴とする携帯デバイス。
【請求項８】
連携デバイスに対して所定コンテンツを転送するように要求するコンテンツ転送要求を受信するコンテンツ転送要求受信部と、
受信した前記コンテンツ転送要求に応じて、加入者管理サーバに、携帯デバイスと前記連携デバイスによって確立されている連携モードが登録されているか否かについて確認する確認部と、
前記連携モードが登録されていることが確認された場合、前記連携デバイスに対して前記所定コンテンツを転送するコンテンツ転送処理部とを具備することを特徴とする所定装置。
【請求項９】
携帯デバイスから、連携デバイスに対して所定コンテンツを転送するように要求する第１のコンテンツ転送要求を受信し、前記連携デバイスから、前記連携デバイスに対して所定コンテンツを転送するように要求する第２のコンテンツ転送要求を受信するコンテンツ転送要求受信部と、
前記第１のコンテンツ転送要求と前記第２のコンテンツ転送要求とが一致する場合、前記連携デバイスに対して前記所定コンテンツを転送するコンテンツ転送処理部とを具備することを特徴とする所定装置。
【発明の詳細な説明】
【技術分野】
【０００１】
本発明は、携帯デバイス及び連携デバイスを用いて通信を行う通信方法、通信システム及び携帯デバイスに関する。
【背景技術】
【０００２】
近年、次世代通信ネットワーク規格の１つとして、従来の固定電話ネットワークや移動体通信ネットワークで行われていた回線交換通信及びパケット通信による公衆通信サービスを、ＩＰ技術により統合してマルチメディアサービスを実現する「ＩＭＳ（ＩＰ  Ｍｕｌｔｉｍｅｄｉａ  Ｓｕｂｓｙｓｔｅｍｓ）」が、「３ＧＰＰ（３ｒｄ  Ｇｅｎｅｒａｔｉｏｎ  Ｐａｒｔｎｅｒｓｈｉｐ  Ｐｒｏｊｅｃｔ）」及び「３ＧＰＰ２（３ｒｄ  Ｇｅｎｅｒａｔｉｏｎ  Ｐａｒｔｎｅｒｓｈｉｐ  Ｐｒｏｊｅｃｔ２）」によって標準化が行われている。
【０００３】
かかるＩＭＳでは、ＩＭＳ端末が、サービスを利用するために、「ＵＩＣＣ（Ｕｎｉｖｅｒｓａｌ  Ｉｎｔｅｇｒａｔｅｄ  Ｃｉｒｃｕｉｔ  Ｃａｒｄ）」を搭載することが必須とされている。
【０００４】
ここで、ＵＩＣＣとしては、「ＩＳＩＭ（ＩＰ  Ｍｕｌｔｉｍｅｄｉａ  Ｓｅｒｖｉｃｅｓ  Ｉｄｅｎｔｉｔｙ  Ｍｏｄｕｌｅ）」に加えて、３ＧＰＰで利用されている「ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）」が利用可能である。
【０００５】
図２７を参照して、一般的なＩＭＳにおけるＩＭＳ端末１０とＩＭＳサーバ３０との間で通信を開始する際に行われる認証処理について説明する。
【０００６】
図２７に示すように、ステップＳ４００１において、ＩＭＳ端末（携帯デバイス）１０が、ＩＭＳネットワークを介して、ＩＭＳサーバ（加入者管理サーバ）３０に対して、当該ＩＭＳ端末の識別情報（ＩＤ１０）を含む登録要求（［ＲＥＧＩＳＴＥＲ］メッセージ）を送信する。
【０００７】
ステップＳ４００２において、ＩＭＳサーバ３０が、ＩＭＳ端末１０との間で共有している共有秘密鍵及びＩＭＳ端末１０との間で同期して管理している同期シーケンス番号ＳＱＮを用いて、ネットワーク認証用トークンＡＵＴＮを生成すると共に、当該共有秘密鍵及び乱数ＲＡＮＤを用いて、ＩＭＳ端末１０から応答されることを期待する応答値ＸＲＥＳを生成する。
【０００８】
そして、ＩＭＳサーバ３０は、ＩＭＳネットワークを介して、ＩＭＳ端末１０に対して、ネットワーク認証用トークンＡＵＴＮ及び乱数ＲＡＮＤを含むサーバ認証要求（［４０１  Ｕｎａｕｔｈｏｒｉｚｅｄ］メッセージ）を通知する。
【０００９】
ステップＳ４００３において、ＩＭＳ端末１０が、ＩＭＳネットワークを介してＩＭＳサーバ３０から受信したサーバ認証要求に応じて、ＩＭＳサーバ３０との間で共有している共有秘密鍵及びＩＭＳサーバ３０との間で同期して管理している同期シーケンス番号ＳＱＮを用いて、ネットワーク認証用トークンＡＵＴＮを生成し、生成したネットワーク認証用トークンＡＵＴＮと当該サーバ認証要求に含まれているネットワーク認証用トークンＡＵＴＮとが一致するか否かに基づいてサーバ認証処理を行う。
【００１０】
両者が一致した場合、ステップＳ４００４において、ＩＭＳ端末１０が、当該共有秘密鍵及び当該サーバ認証要求に含まれている乱数ＲＡＮＤを用いて、応答値ＲＥＳを生成し、ＩＭＳネットワークを介して、ＩＭＳサーバ３０に対して、当該応答値ＲＥＳを含む加入者認証要求（［ＲＥＧＩＳＴＥＲ］メッセージ）を送信する。
【００１１】
ステップＳ４００５において、ＩＭＳサーバ３０は、ＩＭＳネットワークを介して受信した加入者認証要求に応じて、ステップＳ４００２において生成した応答値ＸＲＥＳと当該加入者認証要求に含まれている応答値ＲＡＮＤとが一致するか否かに基づいて、加入者認証処理を行う。
【００１２】
両者が一致した場合、ステップＳ４００６において、ＩＭＳサーバ３０が、ＩＭＳネットワークを介して、ＩＭＳ端末１０に対して、加入者認証処理が成功した旨を示す認証成功応答（［２００  ＯＫ］メッセージ）を送信する。
【００１３】
その結果、ＩＭＳ端末１０は、ＩＭＳサーバ３０に登録されるため、ＩＭＳネットワークに接続されている接続先デバイスとの間でデータの送受信を行ったり、ＩＭＳネットワークに接続されているコンテンツサーバからコンテンツを受信したりすることができる。
【００１４】
このように、従来のＩＭＳでは、ＩＭＳ端末１０がＩＭＳネットワークを介した通信を行うには、ＵＩＣＣが組み込まれたＩＭＳ端末１０とＩＭＳサーバ３０との間で双方向の認証処理（サーバ認証処理及び加入者認証処理）が必要不可欠であった。
【００１５】
逆に言えば、従来のＩＭＳでは、このような双方向での認証処理を行うことができれば、携帯電話に限らず、パソコンやＴＶやステレオ等のデバイスを用いて、ＩＭＳネットワークを介した通信を行うことが可能である。
【非特許文献１】３ＧＰＰ  ＴＳ２４.２２８、「Ｓｉｇｎａｌｌｉｎｇ  ｆｌｏｗｓ  ｆｏｒ  ｔｈｅ  ＩＰ  Ｍｕｌｔｉｍｅｄｉａ  ｃａｌｌ  ｃｏｎｔｒｏｌ  ｂａｓｅｄ  ｏｎ  Ｓｅｓｓｉｏｎ  Ｉｎｉｔｉａｔｉｏｎ  Ｐｒｏｔｏｃｏｌ（ＳＩＰ）  ａｎｄ  Ｓｅｓｓｉｏｎ  Ｄｅｓｃｒｉｐｔｉｏｎ  Ｐｒｏｔｏｃｏｌ（ＳＤＰ）；Ｓｔａｇｅ  ３」
【発明の開示】
【発明が解決しようとする課題】
【００１６】
しかしながら、上述のように、パソコンやＴＶやステレオ等のデバイスを用いて、ＩＭＳネットワークを介した通信を行うために、これらの全てのデバイスに、ＵＩＣＣを組み込む必要があり、その実現は困難であるという問題点があった。
【００１７】
そこで、本発明は、上述の課題に鑑みてなされたものであり、ＵＩＣＣが組み込まれていないデバイスを用いて、認証処理が必要なネットワーク（例えば、ＩＭＳネットワーク）を介した通信を実現することができる通信方法、通信システム及び携帯デバイスを提供することを目的とする。
【課題を解決するための手段】
【００１８】
本発明の第１の特徴は、携帯デバイス及び連携デバイスを用いて通信を行う通信方法であって、前記携帯デバイスと前記連携デバイスとの間で連携モードを確立する工程と、前記携帯デバイスと前記連携デバイスとの間で前記連携モードが確立されていることを加入者管理サーバに登録する工程とを有することを要旨とする。
【００１９】
本発明の第１の特徴において、前記連携デバイスが、前記連携モードを確立した前記携帯デバイスを用いて、前記加入者管理サーバに対する認証処理を行う工程と、前記加入者管理サーバが、前記連携モードを確立した前記携帯デバイスに対する認証処理を行う工程とを有していてもよい。
【００２０】
かかる発明によれば、加入者管理サーバが、携帯デバイスのＵＩＣＣに記憶されている加入者情報を用いて認証処理を行い、かかる認証処理が成功した場合に、当該携帯デバイスと連携デバイスとの間で連携モードが確立されていることを登録するように構成されているため、ＵＩＣＣが組み込まれていない連携デバイス（すなわち、加入者情報を管理していない連携デバイス）を用いて、加入者情報を用いた認証処理が必要な外部ネットワーク（例えば、ＩＭＳネットワーク）を介した通信を行うことができる。
【００２１】
本発明の第１の特徴において、所定装置が、前記連携デバイスに対して所定コンテンツを転送するように要求するコンテンツ転送要求を受信する工程と、前記所定装置が、受信した前記コンテンツ転送要求に応じて、前記加入者管理サーバに、前記連携デバイスによって確立されている前記連携モードが登録されているか否かについて確認する工程と、前記連携モードが登録されていることが確認された場合、前記所定装置が、前記連携デバイスに対して前記所定コンテンツを転送する工程とを有していてもよい。
【００２２】
本発明の第１の特徴において、所定装置が、前記携帯デバイスから、前記連携デバイスに対して所定コンテンツを転送するように要求する第１のコンテンツ転送要求を受信する工程と、前記所定装置が、前記連携デバイスから、該連携デバイスに対して所定コンテンツを転送するように要求する第２のコンテンツ転送要求を受信する工程と、前記第１のコンテンツ転送要求と前記第２のコンテンツ転送要求とが一致する場合、前記所定装置が、前記連携デバイスに対して前記所定コンテンツを転送する工程とを有していてもよい。
【００２３】
本発明の第２の特徴は、携帯デバイス及び連携デバイスを用いて通信を行うように構成されている通信システムであって、前記携帯デバイスと前記連携デバイスとの間で連携モードを確立するように構成されており、前記携帯デバイスと前記連携デバイスとの間で前記連携モードが確立されていることを加入者管理サーバに登録するように構成されていることを要旨とする。
【００２４】
本発明の第２の特徴において、前記連携デバイスが、前記携帯デバイスを用いて行う前記加入者管理サーバに対する認証処理と、前記加入者管理サーバによって行われる前記連携モードが確立された前記携帯デバイスに対する認証処理とを行うように構成されていてもよい。
【００２５】
本発明の第３の特徴は、連携デバイスと連携して通信を行うように構成されている携帯デバイスであって、前記連携デバイスとの間で連携モードを確立する連携モード確立部と、前記携帯デバイスと前記連携デバイスとの間で前記連携モードが確立されていることを加入者管理サーバに登録するように要求する登録要求部とを具備することを要旨とする。
【００２６】
本発明の第４の特徴は、所定装置であって、連携デバイスに対して所定コンテンツを転送するように要求するコンテンツ転送要求を受信するコンテンツ転送要求受信部と、受信した前記コンテンツ転送要求に応じて、加入者管理サーバに、携帯デバイスと前記連携デバイスによって確立されている連携モードが登録されているか否かについて確認する確認部と、前記連携モードが登録されていることが確認された場合、前記連携デバイスに対して前記所定コンテンツを転送するコンテンツ転送処理部とを具備することを要旨とする。
【００２７】
本発明の第５の特徴は、所定装置であって、携帯デバイスから、連携デバイスに対して所定コンテンツを転送するように要求する第１のコンテンツ転送要求を受信し、前記連携デバイスから、前記連携デバイスに対して所定コンテンツを転送するように要求する第２のコンテンツ転送要求を受信するコンテンツ転送要求受信部と、前記第１のコンテンツ転送要求と前記第２のコンテンツ転送要求とが一致する場合、前記連携デバイスに対して前記所定コンテンツを転送するコンテンツ転送処理部とを具備することを要旨とする。
【発明の効果】
【００２８】
以上説明したように、本発明によれば、ＵＩＣＣが組み込まれていないデバイスを用いて、認証処理が必要なネットワーク（例えば、ＩＭＳネットワーク）を介した通信を実現することができる通信方法、通信システム及び携帯デバイスを提供することができる。
【発明を実施するための最良の形態】
【００２９】
（本発明の第１の実施形態に係る通信システムの構成）
図１乃至図７を参照して、本発明の第１の実施形態に係る通信システムの構成について説明する。
【００３０】
本実施形態に係る通信システムは、内部ネットワーク１に接続されている携帯デバイス１０及び連携デバイス２０を用いて通信を行うように構成されている。
【００３１】
具体的には、本実施形態に係る通信システムは、図１に示すように、内部ネットワーク１に接続されている携帯デバイス１０、連携デバイス２０と、外部ネットワーク２に接続されている加入者管理サーバ３０、コンテンツサーバ４０及び接続先デバイス５０とを具備している。
【００３２】
また、本実施形態に係る通信システムでは、携帯デバイス１０と連携デバイス２０との間で連携モードを確立するように構成されており、携帯デバイス１０と加入者管理サーバ３０との間で認証処理を行うように構成されており、かかる認証処理が成功した場合、携帯デバイス１０と連携デバイス２０との間で連携モードが確立されていることを加入者管理サーバ３０に登録するように構成されている。
【００３３】
ここで、上述の認証処理には、携帯デバイス１０によって行われる加入者管理サーバ３０に対するサーバ認証処理と、加入者管理サーバ３０によって行われる携帯デバイス１０に対する加入者認証処理とが含まれている。
【００３４】
なお、本実施形態では、内部ネットワーク１として、ローカルネットワークが用いられており、外部ネットワーク２として、上述したＩＭＳネットワークが用いられている例について説明するが、本発明は、これに限定されるものではない。
【００３５】
例えば、本発明は、内部ネットワーク１や外部ネットワーク２として、Ｂｌｕｅｔｏｏｔｈ（登録商標）やＷｉｒｅｌｅｓｓ  ＵＳＢや、ＵＳＢや、インターネット等が用いられる例についても適用可能である。
【００３６】
また、本実施形態では、内部ネットワーク１に接続されている携帯デバイス１０及び連携デバイス２０を用いて外部ネットワーク２に接続されている加入者管理サーバ３０と通信を行う例について説明するが、本発明は、全てのデバイスが単一のネットワークに接続されている構成にも適用可能である。
【００３７】
更に、携帯デバイス１０は、加入者管理３０サーバと直接通信を行う場合、移動通信ネットワークを経由した通信を利用してもよい。
【００３８】
本実施形態に係る携帯デバイス１０は、携帯電話端末等のＵＩＣＣが組み込まれている任意のデバイス（ＩＭＳ端末）が用いられる例について説明するが、本発明は、かかる例に限定されない。
【００３９】
例えば、本発明は、本実施形態に係る携帯デバイス１０として、加入者情報を管理可能なデバイスであれば、ＰＨＳ（Ｐｅｒｓｏｎａｌ  Ｈａｎｄｙ-ｐｈｏｎｅ  Ｓｙｓｔｅｍ）端末やＰＤＡ（Ｐｅｒｓｏｎａｌ  Ｄｉｇｉｔａｌ  Ａｓｓｉｓｔａｎｔ）等の任意の形態のデバイスが用いられる例に対して適用可能である。
【００４０】
図２に示すように、携帯デバイス１０のハードウェア構成は、一般的なコンピュータのハードウェア構成と同様であり、一例として、ＣＰＵ１０１と、ＲＡＭ（Ｒａｎｄｏｍ  Ａｃｃｅｓｓ  Ｍｅｍｏｒｙ）１０２及びＲＯＭ（Ｒｅａｄ  Ｏｎｌｙ  Ｍｅｍｏｒｙ）１０３からなる記憶部１０５と、操作部１０４と、通信モジュール１０６と、ＵＩＣＣモジュール１０７とを具備する。
【００４１】
ここで、ＣＰＵ１０１が、ＲＯＭ１０３に記憶されている所定プログラムを実行することによって、図３に示す携帯デバイス１０の機能を実現する。
【００４２】
図３に示す携帯デバイス１０の機能には、連携モード確立部１１と、サーバ認証処理部１２と、加入者認証処理部１３と、加入者情報管理部１４と、コンテンツ転送処理部１５とが含まれる。
【００４３】
連携モード確立部１１は、通信モジュール１０６を介して、連携デバイス２０との間で連携モードを確立するように構成されている。
【００４４】
具体的には、サーバ認証処理部１２は、通信モジュール１０６を介して加入者管理サーバ３０から受信したサーバ認証要求に応じて、加入者情報管理部１４を参照して、加入者管理サーバ３０に対するサーバ認証処理を行うように構成されている。
【００４５】
また、加入者認証処理部１３は、上述のサーバ認証処理が成功した場合に、通信モジュール１０６を介して加入者認証処理要求を送信することによって、加入者認証処理が成功した場合には、携帯デバイス１０と連携デバイス２０との間で連携モードが確立されていることを加入者管理サーバ３０に登録するように要求する。
【００４６】
加入者情報管理部１４は、ＵＩＣＣモジュールによって構成されており、携帯デバイス１０の識別情報や、加入者管理サーバ３０との間で共有している共有秘密鍵等の携帯デバイス１０の加入者情報を記憶するように構成されている。
【００４７】
コンテンツ転送処理部１５は、連携デバイス２０と協働して、コンテンツサーバ４０や接続先デバイス５０等の所定装置から所定コンテンツを受信するためのコンテンツ転送処理を行うように構成されている。
【００４８】
また、本実施形態に係る連携デバイス２０は、パソコンやＴＶやステレオ等のＵＩＣＣが組み込まれていない任意のデバイスが用いられているが、本発明は、連携デバイス２０にＵＩＣＣが組み込まれている例に対しても適用可能である。
【００４９】
図４に示すように、連携デバイス２０のハードウェア構成は、一般的なコンピュータのハードウェア構成と同様であり、一例として、ＣＰＵ２０１と、ＲＡＭ２０２及びＲＯＭ２０３からなる記憶部２０５と、操作部２０４と、通信モジュール２０６とを具備する。
【００５０】
ここで、ＣＰＵ２０１が、ＲＯＭ２０３に記憶されている所定プログラムを実行することによって、図５に示す連携デバイス２０の機能を実現する。
【００５１】
図５に示す連携デバイス２０の機能には、連携モード確立部２１と、認証処理部２２と、コンテンツ転送処理部２３とが含まれる。
【００５２】
連携モード確立部２１は、通信モジュール２０６を介して、携帯デバイス１０との間で連携モードを確立するように構成されている。
【００５３】
認証処理部２２は、携帯デバイス１０と連携デバイス２０との間で連携モードが確立されていることを加入者管理サーバ３０に登録するために、携帯デバイス１０と協働するように構成されている。
【００５４】
コンテンツ転送処理部２３は、携帯デバイス１０と協働して、コンテンツサーバ４０や接続先デバイス５０等の所定装置から所定コンテンツを受信するためのコンテンツ転送処理を行うように構成されている。
【００５５】
本実施形態に係る加入者管理サーバ３０は、例えば、ＳＩＰ（Ｓｅｓｓｉｏｎ  Ｉｎｉｔｉａｔｉｏｎ  Ｐｒｏｔｏｃｏｌ）サーバ（ＩＭＳサーバ）によって構成されており、図６に示すように、サーバ認証処理部３１と、加入者認証処理部３２と、デバイス認証処理部３２Ａと、登録部３３と、転送先デバイス確認部３４とを具備している。
【００５６】
サーバ認証処理部３１は、携帯デバイス１０又は連携デバイス２０から受信した登録要求に応じて、携帯デバイス１０に対してサーバ認証処理を行うように要求するサーバ認証要求を送信するように構成されている。
【００５７】
また、加入者認証処理部３２は、携帯デバイス１０又は連携デバイス２０から受信した加入者認証要求に応じて、携帯デバイス１０に対する加入者認証処理を行い、加入者認証処理が成功した場合に、当該加入者認証処理に係る携帯デバイス１０と連携デバイス２０との間で連携モードが確立している旨を登録部３３に登録するように構成されている。
【００５８】
デバイス認証処理部３２Ａは、連携デバイス２０から、連携デバイスの識別情報（ＩＤ２０）及び携帯デバイス１０と加入者管理サーバ３０との間の共有秘密鍵を利用した登録要求を受信した場合に、後述するデバイス認証処理を行うように構成されている。
【００５９】
かかる場合、加入者認証処理部３２の代わりに、デバイス認証処理部３２Ａが、加入者認証処理が成功した場合に、当該デバイス認証処理に係る携帯デバイス１０と連携デバイス２０との間で連携モードが確立している旨を登録部３３に登録するように構成されている。
【００６０】
本実施形態に係るコンテンツサーバ４０又は接続先デバイス５０は、コンテンツ転送要求によって指定された転送先デバイスに対して、当該コンテンツ転送要求によって指定された所定コンテンツを転送するように構成されている所定装置であり、図７に示すように、コンテンツ転送要求受信部４１と、転送先デバイス確認部４２と、コンテンツ転送処理部４３とを具備している。
【００６１】
コンテンツ転送要求受信部４１は、携帯デバイス１０又は連携デバイス２０から送信されたコンテンツ転送要求を受信するように構成されている。
【００６２】
転送先デバイス確認部４２は、加入者管理サーバ３０及び携帯デバイス１０等と協働して、コンテンツ転送要求受信部４１により受信されたコンテンツ転送要求により指定されている転送先デバイス（携帯デバイス１０又は連携デバイス２０）に対して、当該コンテンツ転送要求により指定されている所定コンテンツを転送することができるか否かについて確認するように構成されている。具体的な確認方法については、後述する。
【００６３】
コンテンツ転送処理部４３は、コンテンツ転送要求により指定されている転送先デバイスに対して、当該コンテンツ転送要求により指定されている所定コンテンツを転送するコンテンツ転送処理を行うように構成されている。具体的なコンテンツ転送処理については、後述する。
【００６４】
（本発明の第１の実施形態に係る通信システムの動作）
図８乃至図１８を参照して、本発明の第１の実施形態に係る通信システムの動作について説明する。具体的には、本実施形態では、携帯デバイス１０主導で、コンテンツサーバ４０又は接続先デバイス５０から連携デバイス２０又は携帯デバイス１０に対して所定コンテンツが転送される動作について説明する。
【００６５】
第１に、図８及び図９を参照して、本実施形態に係る通信システムの全体動作の第１例について説明する。
【００６６】
図８に示すように、ステップＳ１００１において、通信システムで、連携モード確立・認証処理が行われる。具体的には、ユーザが、携帯デバイス１０の操作部１０４を操作して、図９（ａ）に示す画面において、「ＹＥＳ」を押下することによって、かかる連携モード確立・認証処理を開始する。
【００６７】
ステップＳ１００２において、通信システムで、コンテンツ選択処理が行われる。具体的には、ユーザが、携帯デバイス１０の操作部１０４を操作して、図９（ｂ）に示す「コンテンツ購入サイト」にアクセスして、「コンテンツＡの購入ボタン」を押下することによって、かかるコンテンツ選択処理を行う。
【００６８】
ステップＳ１００３において、通信システムで、コンテンツ転送処理が行われる。具体的には、ユーザが、携帯デバイス１０の操作部１０４を操作して、図９（ｃ）に示す画面において、「ＯＫ」を押下することによって、かかるコンテンツ転送処理を開始する。
【００６９】
第２に、図１０及び図１１を参照して、本実施形態に係る通信システムの全体動作の第２例について説明する。
【００７０】
図１０に示すように、ステップＳ２００１において、通信システムで、コンテンツ選択処理が行われる。具体的には、ユーザが、携帯デバイス１０の操作部１０４を操作して、図１１（ａ）に示す「コンテンツ購入サイト」にアクセスして、「コンテンツＡの購入ボタン」を押下することによって、かかるコンテンツ選択処理を行う。
【００７１】
ステップＳ２００１において、通信システムで、連携モード確立・認証処理が行われる。具体的には、ユーザが、携帯デバイス１０の操作部１０４を操作して、図１１（ｂ）に示す画面において、「ＹＥＳ」を押下することによって、かかる連携モード確立・認証処理を開始する。
【００７２】
ステップＳ２００３において、通信システムで、コンテンツ転送処理が行われる。具体的には、ユーザが、携帯デバイス１０の操作部１０４を操作して、図１１（ｃ）に示す画面において、「ＯＫ」を押下することによって、かかるコンテンツ転送処理を開始する。
【００７３】
以下、図１２及び図１３を参照して、本実施形態に係る連携モード確立・認証処理について説明する。
【００７４】
第１に、図１２を参照して、本実施形態に係る連携モード確立・認証処理の第１例について説明する。
【００７５】
図１２に示すように、ステップＳ１１０１において、携帯デバイス１０の連携モード確立部１１が、内部ネットワーク１において、上述の連携デバイス２０の機能を具備する機器を検索するための連携デバイス検索要求を送信する。
【００７６】
ステップＳ１１０２において、連携デバイス２０の連携モード確立部２１が、上述の連携デバイス２０の機能を具備する機器である旨を通知するための連携デバイス応答を、携帯デバイス１０に対して返送する。
【００７７】
ステップＳ１１０３において、携帯デバイス１０の連携モード確立部１１と連携デバイス２０の連携モード確立部２１との間で、互いの機器情報を交換することによって、ステップＳ１１０４において、両者間の連携モードが確立する。
【００７８】
かかる携帯デバイス１０と連携デバイス２０との間の通信、及び、以降の通信を、ＳＳＬやＩＰＳｅｃ等を用いた暗号化通信によって行ってもよい。
【００７９】
ステップＳ１１０５において、携帯デバイス１０のサーバ認証処理部１２が、内部ネットワーク１を介して、連携デバイス２０に対して、携帯デバイス１０の識別情報（ＩＤ１０）を含む登録要求（［ＲＥＧＩＳＴＥＲ］メッセージ）を送信する。
【００８０】
ステップＳ１１０６において、連携デバイス２０の認証処理部２２が、加入者管理サーバ３０に対して、携帯デバイス１０の識別情報（ＩＤ１０）及び連携デバイス２０の識別情報を含む登録要求（［ＲＥＧＩＳＴＥＲ］メッセージ）を送信する。
【００８１】
ステップＳ１１０７において、加入者管理サーバ３０のサーバ認証処理部３１が、携帯デバイス１０との間で共有している共有秘密鍵及び携帯デバイス１０との間で同期して管理している同期シーケンス番号ＳＱＮを用いて、ネットワーク認証用トークンＡＵＴＮを生成すると共に、当該共有秘密鍵及び乱数ＲＡＮＤを用いて、携帯デバイス１０から応答されることを期待する応答値ＸＲＥＳを生成する。
【００８２】
そして、加入者管理サーバ３０のサーバ認証処理部３１は、内部ネットワーク１及び外部ネットワーク２を介して、連携デバイス２０に対して、ネットワーク認証用トークンＡＵＴＮ及び乱数ＲＡＮＤを含むサーバ認証要求（［４０１  Ｕｎａｕｔｈｏｒｉｚｅｄ］メッセージ）を通知する。
【００８３】
ステップＳ１１０８において、連携デバイス２０の認証処理部２２が、加入者管理サーバ３０から受信したサーバ認証要求（［４０１  Ｕｎａｕｔｈｏｒｉｚｅｄ］メッセージ）を、内部ネットワーク１を介して携帯デバイス１０に通知する。
【００８４】
ステップＳ１１０９において、携帯デバイス１０の加入者認証処理部１３が、連携デバイス２０から受信したサーバ認証要求に応じて、加入者管理サーバ３０との間で共有している共有秘密鍵及び加入者管理サーバ３０との間で同期して管理している同期シーケンス番号ＳＱＮを用いて、ネットワーク認証用トークンＡＵＴＮを生成し、生成したネットワーク認証用トークンＡＵＴＮと当該サーバ認証要求に含まれているネットワーク認証用トークンＡＵＴＮとが一致するか否かに基づいてサーバ認証処理を行う。
【００８５】
両者が一致した場合、ステップＳ１１１０において、携帯デバイス１０の加入者認証処理部１３が、当該共有秘密鍵及び当該サーバ認証要求に含まれている乱数ＲＡＮＤを用いて、応答値ＲＥＳを生成し、連携デバイス２０に対して、当該応答値ＲＥＳを含む加入者認証要求（［ＲＥＧＩＳＴＥＲ］メッセージ）を送信する。
【００８６】
ステップＳ１１１１において、連携デバイス２０の認証処理部２２が、携帯デバイス１０から受信した加入者認証要求（［ＲＥＧＩＳＴＥＲ］メッセージ）を、加入者管理サーバ３０に送信する。
【００８７】
ステップＳ１１１２において、加入者管理サーバ３０の加入者認証処理部３２は、連携デバイス２０から受信した加入者認証要求に応じて、ステップＳ１１０６において生成した応答値ＸＲＥＳと当該加入者認証要求に含まれている応答値ＲＡＮＤとが一致するか否かに基づいて、加入者認証処理を行う。
【００８８】
両者が一致した場合、ステップＳ１１１３において、加入者管理サーバ３０の加入者認証処理部３２が、登録部３３に対して、携帯デバイス１０と連携デバイス２０との間で連携モードが確立していることを登録すると共に、連携デバイス２０に対して、加入者認証処理が成功した旨を示す認証成功応答（［２００  ＯＫ］メッセージ）を送信する。
【００８９】
第２に、図１３を参照して、本実施形態に係る連携モード確立・認証処理の第２例について説明する。
【００９０】
図１３に示すように、ステップＳ１２０１において、携帯デバイス１０の連携モード確立部１１が、内部ネットワーク１において、上述の連携デバイス２０の機能を具備する機器を検索するための連携デバイス検索要求を送信する。
【００９１】
ステップＳ１２０２において、連携デバイス２０の連携モード確立部２１が、上述の連携デバイス２０の機能を具備する機器である旨を通知するための連携デバイス応答を、携帯デバイス１０に対して返送する。
【００９２】
ステップＳ１２０３において、携帯デバイス１０の連携モード確立部１１と連携デバイス２０の連携モード確立部２１との間で、互いの機器情報を交換することによって、ステップＳ１２０４において、両者間の連携モードが確立する。
【００９３】
かかる携帯デバイス１０と連携デバイス２０との間の通信、及び、以降の通信を、ＳＳＬやＩＰＳｅｃ等を用いた暗号化通信によって行ってもよい。
【００９４】
ここで、携帯デバイス１０の連携モード確立部１１は、連携デバイス２０に対して、加入者管理サーバ３０との間の認証処理で用いられる一時的な共有秘密鍵を送信するよう構成されている。
【００９５】
ステップＳ１２０５において、携帯デバイス１０のサーバ認証処理部１２が、加入者管理サーバ３０に対して、携帯デバイス１０の識別情報（ＩＤ１０）と連携デバイスの識別情報（ＩＤ２０）と上述の共有秘密鍵とを含む登録要求（［ＲＥＧＩＳＴＥＲ］メッセージ）を送信する。
【００９６】
そして、加入者管理サーバ３０のサーバ認証処理部３１が、連携デバイスの識別情報（ＩＤ２０）及び上述の一時的な共有秘密鍵を保存する。
【００９７】
ステップＳ１２０６において、加入者管理サーバ３０のサーバ認証処理部３１は、かかる共有秘密鍵及び携帯デバイス１０との間で同期して管理している同期シーケンス番号ＳＱＮを用いて、ネットワーク認証用トークンＡＵＴＮを生成すると共に、当該共有秘密鍵及び乱数ＲＡＮＤを用いて、携帯デバイス１０から応答されることを期待する応答値ＸＲＥＳを生成する。
【００９８】
そして、加入者管理サーバ３０のサーバ認証処理部３１は、携帯デバイス１０に対して、ネットワーク認証用トークンＡＵＴＮ及び乱数ＲＡＮＤを含むサーバ認証要求（［４０１  Ｕｎａｕｔｈｏｒｉｚｅｄ］メッセージ）を通知する。
【００９９】
ステップＳ１２０７において、携帯デバイス１０の加入者認証処理部１３が、加入者管理サーバ３０から受信したサーバ認証要求に応じて、加入者管理サーバ３０との間で共有している共有秘密鍵及び加入者管理サーバ３０との間で同期して管理している同期シーケンス番号ＳＱＮを用いて、ネットワーク認証用トークンＡＵＴＮを生成し、生成したネットワーク認証用トークンＡＵＴＮと当該サーバ認証要求に含まれているネットワーク認証用トークンＡＵＴＮとが一致するか否かに基づいてサーバ認証処理を行う。
【０１００】
両者が一致した場合、ステップＳ１２０８において、携帯デバイス１０の加入者認証処理部１３が、当該共有秘密鍵及び当該サーバ認証要求に含まれている乱数ＲＡＮＤを用いて、応答値ＲＥＳを生成し、加入者管理サーバ３０に対して、当該応答値ＲＥＳを含む加入者認証要求（［ＲＥＧＩＳＴＥＲ］メッセージ）を送信する。
【０１０１】
ステップＳ１２０９において、加入者管理サーバ３０の加入者認証処理部３２は、携帯デバイス１０から受信した加入者認証要求に応じて、ステップＳ１２０６において生成した応答値ＸＲＥＳと当該加入者認証要求に含まれている応答値ＲＡＮＤとが一致するか否かに基づいて、加入者認証処理を行う。
【０１０２】
両者が一致した場合、ステップＳ１２１０において、加入者管理サーバ３０の加入者認証処理部３２が、携帯デバイス１０に対して、加入者認証処理が成功した旨を示す認証成功応答（［２００  ＯＫ］メッセージ）を送信する。
【０１０３】
ここで、ステップＳ１２０５からステップＳ１２１０は、携帯デバイス１０と加入者管理サーバ３０との間の直接通信によって行われてもよいし、連携デバイス２０を経由した通信によって行われていてもよい。
【０１０４】
ただし、後者の場合には、通知される情報の一部又は全部が暗号化され、盗聴や改ざんやなりすましができないようにする必要がある。
【０１０５】
ステップＳ１２１１において、連携デバイス１０の加入者認証処理部１３が、加入者管理サーバ３０から認証成功応答を受信した旨を連携デバイス２０に通知する。
【０１０６】
ステップＳ１２１２において、連携デバイス２０の認証処理部２２が、ステップＳ１２０３において携帯デバイス１０から受信した一時的な共有秘密鍵及び連携デバイスの識別情報（ＩＤ２０）を含む登録要求（［ＲＥＧＩＳＴＥＲ］メッセージ）を、加入者管理サーバ３０に対して送信する。
【０１０７】
ステップＳ１２１３において、加入者管理サーバ３０のデバイス認証処理部３２Ａが、連携デバイス２０から受信した登録要求に応じて、ステップＳ１２０５において保存にしておいた一時的な共有秘密鍵及び連携デバイスの識別情報（ＩＤ２０）と当該登録要求に含まれている一時的な共有秘密鍵と連携デバイスの識別情報（ＩＤ２０）とが一致するか否かに基づいて、デバイス認証処理を行う。
【０１０８】
ここで、ステップＳ１２１２では、連携デバイス２０が、一時的な共有秘密鍵を用いて生成したデータ及び連携デバイスの識別情報（ＩＤ２０）を通知し、ステップＳ１２１３において、加入者管理サーバが、同様に、一時的な共有秘密鍵を用いて生成したデータ及び連携デバイスの識別情報（ＩＤ２０）を用いて、デバイス認証処理を行ってもよい。
【０１０９】
両者が一致した場合、ステップＳ１２１４において、加入者管理サーバ３０のデバイス認証処理部３２Ａが、登録部３３に対して、携帯デバイス１０と連携デバイス２０との間で連携モードが確立していることを登録すると共に、連携デバイス２０に対して、デバイス認証処理が成功した旨を示す認証成功応答（［２００  ＯＫ］メッセージ）を送信する。
【０１１０】
次に、図１４乃至図１８を参照して、本実施形態に係るコンテンツ転送処理について説明する。
【０１１１】
第１に、図１４を参照して、本実施形態に係るコンテンツ転送処理の第１例について説明する。
【０１１２】
図１４に示すように、ステップＳ１３０１において、携帯デバイス１０のコンテンツ転送処理部１５が、連携デバイス２０に対して、所定コンテンツ（コンテンツＩＤ＝１）を転送するように指定するコンテンツ転送要求を、連携デバイス２０に送信する。
【０１１３】
具体的には、携帯デバイス１０のコンテンツ転送処理部１５が、「転送先デバイスＩＤ＝ＩＤ２０」及び「コンテンツＩＤ＝１」と指定するコンテンツ転送要求を、連携デバイス２０に送信する。
【０１１４】
ステップＳ１３０２において、連携デバイス２０のコンテンツ転送処理部２３が、携帯デバイス１０から受信したコンテンツ転送要求を、コンテンツサーバ４０又は接続先デバイス５０（以下、コンテンツサーバ４０等）に送信する。
【０１１５】
ステップＳ１３０３において、コンテンツサーバ４０等の転送先デバイス確認部４２は、連携デバイス２０から受信したコンテンツ転送要求によって指定されている転送先デバイスである連携デバイス２０によって確立されている連携モードが登録されているか否かについて確認するための転送先デバイス確認要求を、加入者管理サーバ３０に送信する。
【０１１６】
ステップＳ１３０４において、加入者管理サーバ３０の転送先デバイス確認部３４は、コンテンツサーバ４０等から受信した転送先デバイス確認要求に応じて、登録部３３を参照して、連携デバイス２０によって確立されている連携モードが登録されているか否かについて確認する。
【０１１７】
そして、当該連携モードが登録されていることが確認された場合、加入者管理サーバ３０の転送先デバイス確認部３４は、その旨を示す転送先デバイス確認応答を、コンテンツサーバ４０等に送信する。
【０１１８】
ここで、転送先デバイス確認応答は、登録されている連携モードに関連する携帯デバイス１０の識別情報を含むように構成されていてもよい。
【０１１９】
ステップＳ１３０５において、コンテンツサーバ４０等の転送デバイス確認部４２が、携帯デバイス１０に対して、所定コンテンツを連携デバイス２０に対して転送することの確認を行うためのコンテンツ転送先確認要求を送信する。
【０１２０】
ステップＳ１３０６において、携帯デバイス１０のコンテンツ転送処理部１５が、ユーザによる指示に応じて、所定コンテンツを連携デバイス２０に対して転送することを許可するコンテンツ転送先確認応答を、コンテンツサーバ４０等に送信する。
【０１２１】
ここで、ステップＳ１３０５及びＳ１３０６において、コンテンツ転送先確認要求及びコンテンツ転送先確認応答は、連携デバイス２０を経由して、携帯デバイス１０とコンテンツサーバ４０との間で送信されてもよい。
【０１２２】
ステップＳ１３０７において、コンテンツサーバ４０等のコンテンツ転送処理部４３が、連携デバイス２０に対して、所定コンテンツを転送し、ステップＳ１３０７Ａにおいて、ユーザは、連携デバイス２０を介して、所定コンテンツを視聴することができる。
【０１２３】
なお、ステップＳ１３０８において、連携デバイス２０のコンテンツ転送処理部２３は、携帯デバイス１０に対して、所定コンテンツの転送が開始した旨を通知してもよい。
【０１２４】
ステップＳ１３０９において、コンテンツサーバ４０等のコンテンツ転送処理部４３が、連携デバイス２０に対して、所定コンテンツの転送が完了したことを通知し、ステップＳ１３１０において、連携デバイス２０のコンテンツ転送処理部２３が、携帯デバイス１０に対して、所定コンテンツの転送が完了したことを通知する。
【０１２５】
第２に、図１５（ａ）及び（ｂ）を参照して、本実施形態に係るコンテンツ転送処理の第２例について説明する。
【０１２６】
図１５（ａ）に示すように、ステップＳ１４０１において、携帯デバイス１０のコンテンツ転送処理部１５が、携帯デバイス１０及び連携デバイス２０に対して、所定コンテンツ（コンテンツＩＤ＝１）を転送するように指定するコンテンツ転送要求を、コンテンツサーバ４０等に送信する。
【０１２７】
具体的には、携帯デバイス１０のコンテンツ転送処理部１５が、「転送先デバイスＩＤ＝ＩＤ１０（転送先デバイス１）、ＩＤ２０（転送先デバイス２）」及び「コンテンツＩＤ＝１」と指定するコンテンツ転送要求を、コンテンツサーバ４０等に送信する。
【０１２８】
ステップＳ１４０２において、コンテンツサーバ４０等の転送先デバイス確認部４２は、連携デバイス２０から受信したコンテンツ転送要求によって指定されている転送先デバイスである携帯デバイス１０と連携デバイス２０との間で確立されている連携モードが登録されているか否かについて確認するための転送先デバイス確認要求を、加入者管理サーバ３０に送信する。
【０１２９】
ステップＳ１４０３において、加入者管理サーバ３０の転送先デバイス確認部３４は、コンテンツサーバ４０等から受信した転送先デバイス確認要求に応じて、登録部３３を参照して、携帯デバイス１０と連携デバイス２０との間で確立されている連携モードが登録されているか否かについて確認する。
【０１３０】
そして、当該連携モードが登録されていることが確認された場合、加入者管理サーバ３０の転送先デバイス確認部３４は、その旨を示す転送先デバイス確認応答を、コンテンツサーバ４０等に送信する。
【０１３１】
ステップＳ１４０４において、コンテンツサーバ４０等の転送先デバイス確認部４２は、コンテンツサーバ４０等と、携帯デバイス１０及び連携デバイス２０との間の通信路状態を確認する。
【０１３２】
いずれの通信路状態も良好である場合、ステップＳ１４０５において、コンテンツサーバ４０等の転送デバイス確認部４２が、携帯デバイス１０に対して、所定コンテンツを携帯デバイス１０及び連携デバイス２０に対して転送することの確認を行うためのコンテンツ転送先確認要求を送信する。
【０１３３】
ステップＳ１４０６において、携帯デバイス１０のコンテンツ転送処理部１５が、ユーザによる指示に応じて、所定コンテンツを携帯デバイス１０及び連携デバイス２０に対して転送することを許可するコンテンツ転送先確認応答を、コンテンツサーバ４０等に送信する。
【０１３４】
ステップＳ１４０７において、コンテンツサーバ４０等のコンテンツ転送処理部４３は、図１５（ｂ）に示すテーブルを参照して、「コンテンツＩＤ＝１」によって特定される所定コンテンツの「サムネイル」を「転送先デバイス１」として規定されている携帯デバイス１０に転送し、「コンテンツＩＤ＝１」によって特定される所定コンテンツの「音楽データ」を「転送先デバイス２」として規定されている連携デバイス２０に転送するべきである旨、決定する。
【０１３５】
ここで、図１５（ｂ）に示すテーブルは、「コンテンツＩＤ」と、転送先デバイス１に転送すべきデータの種類を示す「転送先デバイス１」と、転送先デバイス２に転送すべきデータの種類を示す「転送先デバイス２」とを関連付けている。なお、図１５（ｂ）に示すテーブルは、転送先デバイスが、３以上となる場合を想定して、３以上の「転送先デバイス」の項目を記憶するように構成されていてもよい。
【０１３６】
なお、ステップＳ１４０４において、コンテンツサーバ４０等と、携帯デバイス１０及び連携デバイス２０のいずれかとの間の通信路状態が劣悪であると判断された場合（或いは、携帯デバイス１０との連携に必要な機能が連携デバイス２０で動作していないと判断された場合）、コンテンツサーバ４０等のコンテンツ転送処理部４３は、通信路状態が良好であるデバイス（或いは、携帯デバイス１０との連携に必要な機能が動作している連携デバイス２０）に対して、所定コンテンツを分割することなく転送する（すなわち、所定コンテンツのサムネイルも音楽データも転送する）ように構成されていてもよい。
【０１３７】
ステップＳ１４０８において、コンテンツサーバ４０等のコンテンツ転送処理部４３が、携帯デバイス１０に対して、所定コンテンツのサムネイルを転送し、ステップＳ１４０９において、ユーザは、携帯デバイス１０を介して、所定コンテンツのサムネイルを視聴することができる。
【０１３８】
また、ステップＳ１４１０において、コンテンツサーバ４０等のコンテンツ転送処理部４３が、連携デバイス２０に対して、所定コンテンツの音楽データを転送し、ステップＳ１４１０Ａにおいて、ユーザは、連携デバイス２０を介して、所定コンテンツの音楽データを視聴することができる。
【０１３９】
なお、ステップＳ１４１１において、連携デバイス２０のコンテンツ転送処理部２３は、携帯デバイス１０に対して、所定コンテンツの音楽データの転送が開始した旨を通知してもよい。
【０１４０】
ステップＳ１４１２において、コンテンツサーバ４０等のコンテンツ転送処理部４３が、連携デバイス２０に対して、所定コンテンツの音楽データの転送が完了したことを通知し、ステップＳ１４１３において、連携デバイス２０のコンテンツ転送処理部２３が、携帯デバイス１０に対して、所定コンテンツの音楽データの転送が完了したことを通知する。
【０１４１】
第３に、図１６を参照して、本実施形態に係るコンテンツ転送処理の第３例について説明する。
【０１４２】
図１６に示すように、ステップＳ１５０１において、携帯デバイス１０のコンテンツ転送処理部１５が、携帯デバイス１０に対して、所定コンテンツ（コンテンツＩＤ＝１）のサムネイルを転送し、連携デバイス２０に対して、所定コンテンツ（コンテンツＩＤ＝１）の音楽データを転送するように指定するコンテンツ転送要求を、コンテンツサーバ４０等に送信する。
【０１４３】
具体的には、携帯デバイス１０のコンテンツ転送処理部１５が、「コンテンツＩＤ＝１」と、「転送先デバイスＩＤ＝ＩＤ１０（転送先デバイス１）、ＩＤ２０（転送先デバイス２）」と、「ＩＤ１０向けデータ＝サムネイル（転送先デバイス１に対して転送すべきデータの種類）、ＩＤ２０向けデータ＝音楽データ（転送先デバイス２に対して転送すべきデータの種類）」と指定するコンテンツ転送要求を、コンテンツサーバ４０等に送信する。
【０１４４】
以下、ステップＳ１５０２乃至Ｓ１５１２の動作は、図１５（ａ）に示すステップＳ１４０２乃至Ｓ１４０６、Ｓ１４０８乃至Ｓ１４１３の動作と同一である。すなわち、本実施形態に係るコンテンツ転送処理の第３例は、図１５（ａ）におけるステップＳ１４０７の動作を含まない。
【０１４５】
第４に、図１７（ａ）及び（ｂ）を参照して、本実施形態に係るコンテンツ転送処理の第４例について説明する。
【０１４６】
図１７（ａ）に示すように、ステップＳ１６０１において、携帯デバイス１０のコンテンツ転送処理部１５が、連携デバイス２０ａ及び連携デバイス２０ｂに対して、所定コンテンツ（コンテンツＩＤ＝１）を転送するように指定するコンテンツ転送要求を、コンテンツサーバ４０等に送信する。
【０１４７】
具体的には、携帯デバイス１０のコンテンツ転送処理部１５が、「転送先デバイスＩＤ＝ＩＤ２０ａ（転送先デバイス１）、ＩＤ２０ｂ（転送先デバイス２）」及び「コンテンツＩＤ＝１」と指定するコンテンツ転送要求を、コンテンツサーバ４０等に送信する。
【０１４８】
さらに、かかるコンテンツ転送要求は、所定コンテンツを転送先デバイスのそれぞれにどのように振り分けるのかについて示す「転送データ振分種別（＝２）」と、複数の転送先デバイスに振り分けられた所定コンテンツを結合するデバイスの識別情報を示す「結合先デバイス（＝ＩＤ２０ａ）」とについても指定している。
【０１４９】
ステップＳ１６０２乃至Ｓ１６０６の動作は、図１５（ａ）に示すステップＳ１４０２乃至Ｓ１４０６の動作と同一である。
【０１５０】
ステップＳ１６０７において、コンテンツサーバ４０等のコンテンツ転送処理部４３は、図１７（ｂ）に示すテーブルを参照して、「コンテンツＩＤ＝１」及び「配送データ振分種別＝２」に従って、「コンテンツＩＤ＝１」によって特定される所定コンテンツの「動画データ（トラック１-３）」を「転送先デバイス１」として規定されている連携デバイス２０ａに転送し、「コンテンツＩＤ＝１」によって特定される所定コンテンツの「動画データ（トラック４-６）」を「転送先デバイス２」として規定されている連携デバイス２０ｂに転送するべきである旨、決定する。
【０１５１】
ここで、図１７（ｂ）に示すテーブルは、「コンテンツＩＤ」と、上述の「配送先振分種別」と、転送先デバイス１に転送すべきデータの種類を示す「転送先デバイス１」と、転送先デバイス２に転送すべきデータの種類を示す「転送先デバイス２」とを関連付けている。なお、図１７（ｂ）に示すテーブルは、転送先デバイスが、３以上となる場合を想定して、３以上の「転送先デバイス」の項目を記憶するように構成されていてもよい。
【０１５２】
なお、ステップＳ１６０４において、コンテンツサーバ４０等と、連携デバイス２０ａ及び連携デバイス２０ｂのいずれかとの間の通信路状態が劣悪であると判断された場合（或いは、携帯デバイス１０との連携に必要な機能が連携デバイス２０ａ及び連携デバイス２０ｂのいずれかで動作していないと判断された場合）、コンテンツサーバ４０等のコンテンツ転送処理部４３は、通信路状態が良好である連携デバイス２０ａ及び連携デバイス２０ｂのいずれか（或いは、携帯デバイス１０との連携に必要な機能が動作している連携デバイス２０及び連携デバイス２０ｂのいずれか）に対して、所定コンテンツを分割することなく転送する（すなわち、所定コンテンツの動画データ（トラック１-３）も動画データ（トラック４-６）も転送する）ように構成されていてもよい。
【０１５３】
ステップＳ１６０８において、コンテンツサーバ４０等のコンテンツ転送処理部４３が、連携デバイス２０ｂに対して、所定コンテンツの動画データ（トラック４-６）を転送する。ここで、コンテンツサーバ４０等のコンテンツ転送処理部４３が、連携デバイス２０ｂに対して、当該所定コンテンツの結合先デバイスが連携デバイス２０ａである旨、通知する。
【０１５４】
また、ステップＳ１６１１において、コンテンツサーバ４０等のコンテンツ転送処理部４３が、連携デバイス２０ａに対して、所定コンテンツの動画データ（トラック１-３）を転送する。ここで、コンテンツサーバ４０等のコンテンツ転送処理部４３が、連携デバイス２０ａに対して、当該所定コンテンツの結合先デバイスが連携デバイス２０ａである旨、通知する。
【０１５５】
なお、ステップＳ１６０９において、連携デバイス２０ｂのコンテンツ転送処理部２３は、携帯デバイス１０に対して、所定コンテンツの所定コンテンツの動画データ（トラック４-６）の転送が開始した旨を通知し、ステップＳ１６１２において、連携デバイス２０ａのコンテンツ転送処理部２３は、携帯デバイス１０に対して、所定コンテンツの所定コンテンツの動画データ（トラック１-３）の転送が開始した旨を通知してもよい。
【０１５６】
また、ステップＳ１６１０において、連携デバイス２０ｂのコンテンツ転送処理部２３が、携帯デバイス１０に対して、所定コンテンツの動画データ（トラック４-６）の転送が完了したことを通知し、ステップＳ１６１３において、連携デバイス２０ａのコンテンツ転送処理部２３が、携帯デバイス１０に対して、所定コンテンツの動画データ（トラック１-３）の転送が完了したことを通知する。
【０１５７】
その後、ステップＳ１６１４において、連携デバイス２０ｂのコンテンツ転送処理部２３が、所定コンテンツの動画データ（トラック４-６）を、結合先デバイスである連携デバイス２０ａに対して転送し、ステップＳ１６１５において、連携デバイス２０ａのコンテンツ転送処理部２３が、所定コンテンツの動画データ（トラック１-３）及び所定コンテンツの動画データ（トラック４-６）を結合するため、ユーザは、連携デバイス２０ａを介して、所定コンテンツを視聴することができる。
【０１５８】
第５に、図１８を参照して、本実施形態に係るコンテンツ転送処理の第５例について説明する。
【０１５９】
図１８に示すように、ステップＳ１７０１において、携帯デバイス１０のコンテンツ転送処理部１５が、連携デバイス２０ａに対して、所定コンテンツ（コンテンツＩＤ＝１）の動画データ（トラック１-３）を転送し、連携デバイス２０ｂに対して、所定コンテンツ（コンテンツＩＤ＝１）の動画データ（トラック４-６）を転送するように指定するコンテンツ転送要求を、コンテンツサーバ４０等に送信する。
【０１６０】
具体的には、携帯デバイス１０のコンテンツ転送処理部１５が、「コンテンツＩＤ＝１」と、「転送先デバイスＩＤ＝ＩＤ２０ａ（転送先デバイス１）、ＩＤ２０ｂ（転送先デバイス２）」と、「ＩＤ２０ａ向けデータ＝動画データ（トラック１-３）（転送先デバイス１に対して転送すべきデータの種類）、ＩＤ２０ｂ向けデータ＝動画データ（トラック４-６）（転送先デバイス２に対して転送すべきデータの種類）」と指定するコンテンツ転送要求を、コンテンツサーバ４０等に送信する。
【０１６１】
さらに、かかるコンテンツ転送要求は、複数の転送先デバイスに振り分けられた所定コンテンツを結合するデバイスの識別情報を示す「結合先デバイス（＝ＩＤ２０ａ）」とについても指定している。
【０１６２】
以下、ステップＳ１７０２乃至Ｓ１７１４の動作は、図１７（ａ）に示すステップＳ１６０２乃至Ｓ１６０６、Ｓ１６０８乃至１６１５の動作と同一である。すなわち、本実施形態に係るコンテンツ転送処理の第５例は、図１７（ａ）におけるステップＳ１６０７の動作を含まない。
【０１６３】
（本発明の第１の実施形態に係る通信システムの作用・効果）
本発明の第１の実施形態に係る通信システムによれば、加入者管理サーバ３０が、携帯デバイス１０のＵＩＣＣに記憶されている加入者情報を用いて加入者認証処理が行い、かかる加入者認証処理が成功した場合に、当該携帯デバイス１０と連携デバイス２０との間で連携モードが確立されていることを登録するように構成されているため、ＵＩＣＣが組み込まれていない連携デバイス（すなわち、加入者情報を管理していない連携デバイス）２０を用いて、加入者情報を用いた認証処理が必要な外部ネットワーク（例えば、ＩＭＳネットワーク）を介した通信を行うことができる。
【０１６４】
（本発明の第２の実施形態に係る通信システム）
図１９乃至図２６を参照して、本発明の第２の実施形態に係る通信システムの動作について説明する。具体的には、本実施形態では、連携デバイス２０主導で、コンテンツサーバ４０等から連携デバイス２０又は携帯デバイス１０に対して所定コンテンツが転送される動作について説明する。
【０１６５】
第１に、図１９及び図２０を参照して、本実施形態に係る通信システムの全体動作の第１例について説明する。
【０１６６】
図１９に示すように、ステップＳ３００１において、通信システムで、連携モード確立・認証処理が行われる。具体的には、ユーザが、連携デバイス２０の操作部２０４を操作して、図２０（ａ）に示す画面において、「ＹＥＳ」を押下することによって、かかる連携モード確立・認証処理を開始する。
【０１６７】
ステップＳ３００２において、通信システムで、コンテンツ選択処理が行われる。具体的には、ユーザが、連携デバイス２０の操作部２０４を操作して、図２０（ｂ）に示す「コンテンツ購入サイト」にアクセスして、「コンテンツＡの購入ボタン」を押下することによって、かかるコンテンツ選択処理を行う。
【０１６８】
ステップＳ３００３において、通信システムで、コンテンツ転送処理が行われる。具体的には、ユーザが、連携デバイス２０の操作部２０４を操作して、図２０（ｃ）に示す画面において、「ＯＫ」を押下することによって、かかるコンテンツ転送処理を開始する。
【０１６９】
第２に、図２１及び図２２を参照して、本実施形態に係る通信システムの全体動作の第２例について説明する。
【０１７０】
図２１に示すように、ステップＳ４００１において、通信システムで、コンテンツ選択処理が行われる。具体的には、ユーザが、連携デバイス２０の操作部２０４を操作して、図２２（ａ）に示す「コンテンツ購入サイト」にアクセスして、「コンテンツＡの購入ボタン」を押下することによって、かかるコンテンツ選択処理を行う。
【０１７１】
ステップＳ４００１において、通信システムで、連携モード確立・認証処理が行われる。具体的には、ユーザが、連携デバイス２０の操作部２０４を操作して、図２２（ｂ）に示す画面において、「ＹＥＳ」を押下することによって、かかる連携モード確立・認証処理を開始する。
【０１７２】
ステップＳ４００３において、通信システムで、コンテンツ転送処理が行われる。具体的には、ユーザが、連携デバイス２０の操作部２０４を操作して、図２２（ｃ）に示す画面において、「ＯＫ」を押下することによって、かかるコンテンツ転送処理を開始する。
【０１７３】
以下、図２３及び図２４を参照して、本実施形態に係る連携モード確立・認証処理について説明する。
【０１７４】
第１に、図２３を参照して、本実施形態に係る連携モード確立・認証処理の第１例について説明する。
【０１７５】
図２３に示すように、ステップＳ３１０１において、連携デバイス２０の連携モード確立部２１が、内部ネットワーク１において、上述の携帯デバイス１０の機能を具備する機器を検索するための携帯デバイス検索要求を送信する。
【０１７６】
ステップＳ３１０２において、携帯デバイス１０の連携モード確立部１１が、上述の携帯デバイス１０の機能を具備する機器である旨を通知するための携帯デバイス応答を、連携デバイス２０に対して返送する。
【０１７７】
ステップＳ３１０３において、携帯デバイス１０の連携モード確立部１１と連携デバイス２０の連携モード確立部２１との間で、互いの機器情報を交換することによって、ステップＳ３１０４において、両者間の連携モードが確立する。
【０１７８】
ステップＳ３１０５において、連携デバイス２０の認証処理部２２が、加入者管理サーバ３０に対して、携帯デバイス１０の識別情報（ＩＤ１０）及び連携デバイス２０の識別情報を含む登録要求（［ＲＥＧＩＳＴＥＲ］メッセージ）を送信する。
【０１７９】
以下、ステップＳ３１０６乃至Ｓ３１１２の動作は、図１２に示すステップＳ１１０７乃至Ｓ１１１３の動作と同一である。
【０１８０】
第２に、図２４を参照して、本実施形態に係る連携モード確立・認証処理の第２例について説明する。
【０１８１】
図２４に示すように、ステップＳ３２０１において、連携デバイス２０の連携モード確立部２１が、内部ネットワーク１において、上述の携帯デバイス１０の機能を具備する機器を検索するための携帯デバイス検索要求を送信する。
【０１８２】
ステップＳ３２０２において、携帯デバイス１０の連携モード確立部１１が、上述の携帯デバイス１０の機能を具備する機器である旨を通知するための携帯デバイス応答を、連携デバイス２０に対して返送する。
【０１８３】
ステップＳ３２０３において、携帯デバイス１０の連携モード確立部１１と連携デバイス２０の連携モード確立部２１との間で、互いの機器情報を交換することによって、ステップＳ３２０４において、両者間の連携モードが確立する。
【０１８４】
ここで、携帯デバイス１０の連携モード確立部１１は、連携デバイス２０に対して、加入者管理サーバ３０との間の認証処理で用いられる一時的な共有秘密鍵を送信するよう構成されている。
【０１８５】
ステップＳ３２０５において、連携デバイス２０の認証処理部２２が、携帯デバイス１０に対して、連携デバイスの識別情報（ＩＤ２０）を含む登録要求（［ＲＥＧＩＳＴＥＲ］メッセージ）を送信する。
【０１８６】
以下、ステップＳ３２０６乃至Ｓ３２１５の動作は、図１３に示すステップＳ１２０５乃至Ｓ１２１４の動作と同一である。
【０１８７】
次に、図２５及び図２６を参照して、本実施形態に係るコンテンツ転送処理について説明する。
【０１８８】
第１に、図２５を参照して、本実施形態に係るコンテンツ転送処理の第１例について説明する。
【０１８９】
図２５に示すように、連携デバイス２０のコンテンツ転送処理部２３が、連携デバイス２０に対して、所定コンテンツ（コンテンツＩＤ＝１）を転送するように指定するコンテンツ転送要求を、ステップＳ３３０１において、コンテンツサーバ４０等に送信し、ステップＳ３３０２において、携帯デバイス１０に送信する。
【０１９０】
具体的には、連携デバイス２０のコンテンツ転送処理部２３が、「転送先デバイスＩＤ＝ＩＤ２０」及び「コンテンツＩＤ＝１」と指定するコンテンツ転送要求を、コンテンツサーバ４０等及び携帯デバイス１０に送信する。
【０１９１】
ステップＳ３３０３において、携帯デバイス１０のコンテンツ転送処理部１５が、連携デバイス２０から受信したコンテンツ転送要求を、コンテンツサーバ４０等に送信する。
【０１９２】
ステップＳ３３０４において、コンテンツサーバ４０等の転送先デバイス確認部４２は、ステップＳ３３０１において連携デバイス２０から受信したコンテンツ転送要求と、ステップＳ３３０３において携帯デバイス１０から受信したコンテンツ転送要求とが一致するか否かについて確認する。
【０１９３】
一致すると判定した場合、ステップＳ３３０５において、コンテンツサーバ４０等の転送デバイス確認部４２が、携帯デバイス１０に対して、所定コンテンツを連携デバイス２０に対して転送することの確認を行うためのコンテンツ転送先確認要求を送信する。
【０１９４】
ここで、携帯デバイス１０と連携デバイス２０との間で連携モードが確立されているか否かについて、加入者管理サーバ３０に確認を行ってもよい。
【０１９５】
以下、ステップＳ３３０６乃至Ｓ３３１０の動作は、図１４に示すステップＳ１３０６乃至Ｓ１３１０の動作と同一である。
【０１９６】
第２に、図２６を参照して、本実施形態に係るコンテンツ転送処理の第２例について説明する。
【０１９７】
図２６に示すように、ステップＳ３４０１において、連携デバイス２０のコンテンツ転送処理部２３が、連携デバイス２０に対して、所定コンテンツ（コンテンツＩＤ＝１）を転送するように指定するコンテンツ転送要求を、携帯デバイス１０に送信する。
【０１９８】
具体的には、連携デバイス２０のコンテンツ転送処理部２３が、「転送先デバイスＩＤ＝ＩＤ２０」及び「コンテンツＩＤ＝１」と指定するコンテンツ転送要求を、携帯デバイス１０に送信する。
【０１９９】
ステップＳ３４０２において、携帯デバイス１０のコンテンツ転送処理部１５が、連携デバイス２０から受信したコンテンツ転送要求を、コンテンツサーバ４０等に送信する。
【０２００】
ステップＳ３４０３において、コンテンツサーバ４０等の転送先デバイス確認部４２は、連携デバイス２０から受信したコンテンツ転送要求によって指定されている転送先デバイスである連携デバイス２０によって確立されている連携モードが登録されているか否かについて確認するための転送先デバイス確認要求を、加入者管理サーバ３０に送信する。
【０２０１】
ここで、転送先デバイス確認要求には、「転送先デバイスＩＤ＝ＩＤ２０」が含まれているものとする。
【０２０２】
ステップＳ３４０４において、加入者管理サーバ３０の転送先デバイス確認部３４は、コンテンツサーバ４０等から受信した転送先デバイス確認要求に応じて、登録部３３を参照して、携帯デバイス１０と連携デバイス２０との間で確立されている連携モードが登録されているか否かについて確認する。
【０２０３】
そして、当該連携モードが登録されていることが確認された場合、加入者管理サーバ３０の転送先デバイス確認部３４は、その旨を示す転送先デバイス確認応答を、コンテンツサーバ４０等に送信する。
【０２０４】
ここで、転送先デバイス確認応答は、登録されている連携モードに関連する携帯デバイス１０の識別情報を含むように構成されていてもよい。
【０２０５】
以下、ステップＳ３４０５乃至Ｓ３４１０の動作は、図１４に示すステップＳ１３０５乃至Ｓ１３１０の動作と同一である。
【０２０６】
なお、ステップＳ３４０３において、コンテンツサーバ４０等の転送先デバイス確認部４２は、携帯デバイス１０の識別情報を用いて、当該所定コンテンツの転送に係る決済を行うことが可能であるか否かについて確認するように構成されていてもよい。
【０２０７】
また、ステップＳ３４０２において、携帯デバイス１０のコンテンツ転送処理部１５は、決済情報（例えば、Ｆｅｌｉｃａ等）を含むコンテンツ転送要求を送信することによって、コンテンツサーバ４０等が、加入者管理サーバ３０に対して問い合わせることなく、当該所定コンテンツの転送に係る決済を行うことができる。
【０２０８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０２０９】
【図１】本発明の第１の実施形態に係る通信システムの全体構成図である。
【図２】本発明の第１の実施形態に係る携帯デバイスのハードウェア構成図である。
【図３】本発明の第１の実施形態に係る携帯デバイスの機能ブロック図である。
【図４】本発明の第１の実施形態に係る連携デバイスのハードウェア構成図である。
【図５】本発明の第１の実施形態に係る連携デバイスの機能ブロック図である。
【図６】本発明の第１の実施形態に係る加入者管理サーバの機能ブロック図である。
【図７】本発明の第１の実施形態に係るコンテンツサーバ又は接続先デバイスの機能ブロック図である。
【図８】本発明の第１の実施形態に係る通信システムの全体動作の第１例を示すフローチャートである。
【図９】本発明の第１の実施形態に係る通信システムの全体動作の第１例を説明するための画面遷移図である。
【図１０】本発明の第１の実施形態に係る通信システムの全体動作の第２例を示すフローチャートである。
【図１１】本発明の第１の実施形態に係る通信システムの全体動作の第２例を説明するための画面遷移図である。
【図１２】本発明の第１の実施形態に係る通信システムにおける連携モード確立・認証処理の第１例を示すシーケンス図である。
【図１３】本発明の第１の実施形態に係る通信システムにおける連携モード確立・認証処理の第２例を示すシーケンス図である。
【図１４】本発明の第１の実施形態に係る通信システムにおけるコンテンツ転送処理の第１例を示すシーケンス図である。
【図１５】本発明の第１の実施形態に係る通信システムにおけるコンテンツ転送処理の第２例を示すシーケンス図である。
【図１６】本発明の第１の実施形態に係る通信システムにおけるコンテンツ転送処理の第３例を示すシーケンス図である。
【図１７】本発明の第１の実施形態に係る通信システムにおけるコンテンツ転送処理の第４例を示すシーケンス図である。
【図１８】本発明の第１の実施形態に係る通信システムにおけるコンテンツ転送処理の第５例を示すシーケンス図である。
【図１９】本発明の第２の実施形態に係る通信システムの全体動作の第１例を示すフローチャートである。
【図２０】本発明の第２の実施形態に係る通信システムの全体動作の第１例を説明するための画面遷移図である。
【図２１】本発明の第２の実施形態に係る通信システムの全体動作の第２例を示すフローチャートである。
【図２２】本発明の第２の実施形態に係る通信システムの全体動作の第２例を説明するための画面遷移図である。
【図２３】本発明の第２の実施形態に係る通信システムにおける連携モード確立・認証処理の第１例を示すシーケンス図である。
【図２４】本発明の第２の実施形態に係る通信システムにおける連携モード確立・認証処理の第２例を示すシーケンス図である。
【図２５】本発明の第２の実施形態に係る通信システムにおけるコンテンツ転送処理の第１例を示すシーケンス図である。
【図２６】本発明の第１の実施形態に係る通信システムにおけるコンテンツ転送処理の第２例を示すシーケンス図である。
【図２７】一般的な通信システムにおける連携モード確立・認証処理を示すシーケンス図である。
【符号の説明】
【０２１０】
１…内部ネットワーク
２…外部ネットワーク
１０…携帯デバイス
１１、２１…連携モード確立部
１２、３１…サーバ認証処理部
１３、３２…加入者認証処理部
１４…加入者情報管理部
１５、２３…コンテンツ転送処理部
１０１、２０１…ＣＰＵ
１０２、２０２…ＲＡＭ
１０３、２０３…ＲＯＭ
１０４、２０４…操作部
１０５、２０５…記憶部
１０６、２０６…通信モジュール
１０７…ＵＩＣＣモジュール
２０…連携デバイス
２２…認証処理部
３０…加入者管理サーバ
３２Ａ…デバイス認証処理部
３３…登録部
３４、４２…転送先デバイス確認部
４０…コンテンツサーバ
５０…接続先デバイス
４１…コンテンツ転送要求受信部
４３…コンテンツ転送処理部
【図１】
2008203803.tif 000003
【図２】
2008203803.tif 000004
【図３】
2008203803.tif 000005
【図４】
2008203803.tif 000006
【図５】
2008203803.tif 000007
【図６】
2008203803.tif 000008
【図７】
2008203803.tif 000009
【図８】
2008203803.tif 000010
【図９】
2008203803.tif 000011
【図１０】
2008203803.tif 000012
【図１１】
2008203803.tif 000013
【図１２】
2008203803.tif 000014
【図１３】
2008203803.tif 000015
【図１４】
2008203803.tif 000016
【図１５】
2008203803.tif 000017
【図１６】
2008203803.tif 000018
【図１７】
2008203803.tif 000019
【図１８】
2008203803.tif 000020
【図１９】
2008203803.tif 000021
【図２０】
2008203803.tif 000022
【図２１】
2008203803.tif 000023
【図２２】
2008203803.tif 000024
【図２３】
2008203803.tif 000025
【図２４】
2008203803.tif 000026
【図２５】
2008203803.tif 000027
【図２６】
2008203803.tif 000028
【図２７】
2008203803.tif 000029